(57)【特許請求の範囲】
【請求項１】
軸筒（１１）および前記軸筒に内装される中芯（１４）を有すると共に前記中芯から前記軸筒に振動が伝達するように構成されている本体（２）と、
前記軸筒の外周に設けられて筆記者の指が当接するグリップ（１２）と、
前記本体に対して変位して、前記本体のうち前記中芯の前端にあるペン先の振動が前記グリップに伝達される振動伝達経路のどこかに振動を伝達できる衝突対象部位（１７４ａ、１７４ｂ、１７４ｃ）に繰り返し衝突可能な変位部材（３）と、
前記本体に取り付けられて前記変位部材を付勢することで前記変位部材の前記衝突対象部位に対する変位を調整可能な付勢部材（４、２１、２２）とを備え、
前記付勢部材が前記変位部材を付勢する力が変化することで、前記変位部材の前記衝突対象部位に対する変位の有無または変位の態様が変化し、それにより、筆記時における前記変位部材と前記衝突対象部位との衝突の有無または繰り返し衝突の態様が変化し、その結果、前記振動伝達経路に作用する振動が変化することで、筆記者の筆感が変化することを特徴とする筆記具。
【請求項２】
前記本体は、筆記時に前記中芯と前記軸筒の両方に接触する中間部材（１７）を有し、前記衝突対象部位は、前記中間部材の一部であることを特徴とする請求項１に記載の筆記具。
【請求項３】
前記変位部材が押圧操作される度に、前記変位部材が前記中間部材を押圧して変位させることで、前記中芯のペン先が前記軸筒の外に突出して筆記可能な状態と、前記ペン先が前記軸筒の内部に収容されて筆記不可能な状態とが切り替わり、
前記筆記可能な状態において、前記付勢部材が前記変位部材を付勢する力が変化することで、筆記時における前記変位部材と前記衝突対象部位との衝突の有無または繰り返し衝突の態様が変化し、その結果、筆記者の筆感が変化することを特徴とする請求項２に記載の筆記具。
【請求項４】
前記変位部材は、筆記時に、互いに離れた複数箇所が前記衝突対象部位に繰り返し衝突可能であることを特徴とする請求項１ないし３のいずれか１つに記載の筆記具。
【請求項５】
磁力が変化することによって前記付勢部材が前記変位部材を付勢する力が変化することを特徴とする請求項１ないし４のいずれか１つに記載の筆記具。
【請求項６】
携帯端末（５０）から受信した命令に従って前記磁力を変化させる制御装置（２６）を備え、
前記本体は、前記軸筒の外周に取り付けられたクリップ（１３）を有し、
前記制御装置は、前記クリップに取り付けられていることを特徴とする請求項５に記載の筆記具。
【請求項７】
前記軸筒は、後側軸筒（１１１）、および、前記後側軸筒の前記ペン先側において前記後側軸筒に分離可能に接続されることで前記後側軸筒を介して前記中芯の振動が伝達される前側軸筒（１１２）を有することを特徴とする請求項１ないし６のいずれか１つに記載の筆記具。
【請求項８】
前記後側軸筒と前記前側軸筒とは、同じ材質であることを特徴とする請求項７に記載の筆記具。
【請求項９】
前記後側軸筒のヤング率に対する前記前側軸筒のヤング率の比は、０．９５以上１．０５以下であることを特徴とする請求項７または８に記載の筆記具。
【請求項１０】
前記後側軸筒のヤング率および前記前側軸筒のヤング率は、いずれも２０００ＭＰａ以下であることを特徴とする請求項７ないし９のいずれか１つに記載の筆記具。
【請求項１１】
前記付勢部材は、前記変位部材の第１筆感状態と第２筆感状態の間の切り替えを可能とし、
前記第１筆感状態では、筆記時の前記本体の動きによって前記変位部材が変位して前記本体のうち所定の衝突対象部位（１７４ａ、１７４ｂ、１７４ｃ）に繰り返し衝突し、衝突による振動が前記軸筒に伝達され、
前記第２筆感状態では、筆記時に前記変位部材が前記衝突対象部位に衝突しないことを特徴とする請求項１ないし１０のいずれか１つに記載の筆記具。
【請求項１２】
前記第２筆感状態では、前記付勢部材によって、前記変位部材が前記衝突対象部位から離れて前記本体に対して固定されることを特徴とする請求項１１に記載の筆記具。
【請求項１３】
前記付勢部材が前記変位部材を付勢する力が変化することで、筆記時における前記変位部材と前記衝突対象部位との繰り返し衝突の衝撃力または頻度が変化し、その結果、筆記者の筆感が変化することを特徴とする請求項１ないし１２のいずれか１つに記載の筆記具。
【発明の詳細な説明】
【技術分野】
【０００１】
本発明は、筆記具に関するものである。
【背景技術】
【０００２】
従来、筆記具の筆感を切り替える技術が、例えば特許文献１〜５に開示されている。このうち、特許文献１には、ノック式ボールペンにおいて、バネが内装された筒状のキャップがノック部材に被せられ、キャップの３箇所に溝型が形成されたものが開示されている。
【０００３】
この特許文献１のボールペンにおいては、クリップの根元をどの溝型に嵌めるかで、バネの伸縮度合いが３段階で変化し、その結果、ボールペンの１つのペン先の筆感を３段階で切り替えることが可能となっている。
【先行技術文献】
【特許文献】
【０００４】
【特許文献１】米国特許第６２５７７８７号明細書
【特許文献２】米国特許第８９６３８９２号明細書
【特許文献３】特開平６−１９６０４号公報
【特許文献４】登録実用新案第３０３９３６２号公報
【特許文献５】国際公開第２０１２／１５３７１０号
【発明の概要】
【発明が解決しようとする課題】
【０００５】
このような特許文献１の筆記具について本願発明者が鋭意検討したところ、以下のようなことがわかった。特許文献１の手法では、筆記者がバネの弾性力の変動を筆記時に感じ取ることで筆感を認識する。そして、バネの伸縮度合いの違いに応じて筆記時のバネの弾性力の変動の振る舞いが異なるので、バネの伸縮度合いの違いに応じて筆感が変化する。
【０００６】
しかし、このような手法で弾性力の変動を感じ取る場合、筆記時に、バネの弾性が原因で、ペン先が軸筒に対して大きく移動する場合がある。実際、筆記者の筆圧が大きい場合、バネの弾性力の変動が大きくなりすぎて、ペン先が軸筒に対して上下に大きく移動してしまい、その結果、筆記者が筆記時に違和感を覚えてしまうおそれがある。
【０００７】
本発明は上記点に鑑み、筆記具の１つの先端の筆感を切り替え可能にする技術において、筆記時にペン先が軸筒に対して移動する量を低減することを目的とする。
【課題を解決するための手段】
【０００８】
上記目的を達成するための請求項１に記載の発明は、軸筒（１１）および前記軸筒に内装される中芯（１４）を有すると共に前記中芯から前記軸筒に振動が伝達するように構成されている本体（２）と、変位して前記本体のうち所定の衝突対象部位（１７４ａ、１７４ｂ、１７４ｃ）に繰り返し衝突可能な変位部材（３）と、前記変位部材を付勢可能な付勢部材（４、２１、２２）とを備え、前記付勢部材が前記変位部材を付勢する力が変化することで、筆記時における前記変位部材と前記衝突対象部位との衝突の有無または繰り返し衝突の態様が変化し、その結果、筆記者の筆感が変化することを特徴とする筆記具である。
【０００９】
このようになっていると、変位部材と衝突対象部位の衝突による振動が軸筒に伝達される。そして、付勢部材が変位部材を付勢する力が変化することで、筆記時における変位部材と衝突対象部位との衝突の有無または繰り返し衝突の態様が変化するので、その結果、筆記者の筆感が変化する。また、弾性部材の弾性力を変化させて筆感を切り替える場合に比べ、筆記時に先端が弾力的に変位する可能性が低いので、筆記時に先端が軸筒に対して移動する量を従来よりも低減することができる。
【００１０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１１】
【図１】第１実施形態におけるボールペン１の断面図である。
【図２】後側軸筒１１１の側面図である。
【図３】図２のＩＩＩ−ＩＩＩ断面図である。
【図４】図２のＩＶ−ＩＶ断面図である。
【図５】図２のＶ−Ｖ断面図である。
【図６】回転子１７の斜視図である。
【図７】回転子１７の側面図である。
【図８】ノック部材３の斜視図である。
【図９】ノック部材３の正面図である
【図１０】図９のＸ矢視図である。
【図１１】筆記可能な状態かつ第１筆感状態におけるボールペン１の状態を示す一部断面図である。
【図１２】図１１のＸＩＩ−ＸＩＩ断面図である。
【図１３】図１１のＸＩＩＩ−ＸＩＩＩ断面図である。
【図１４】筆記可能な状態かつ第２筆感状態におけるボールペン１の状態を示す一部断面図である。
【図１５】図１１のＸＶ−ＸＶ断面図である。
【図１６】図１１のＸＶＩ−ＸＶＩ断面図である。
【図１７】ノック部材３および回転子１７の長手方向が一致した中立状態を示す図である。
【図１８】ノック部材３が回転子１７に対して傾いている傾斜状態を示す図である。
【図１９】軸筒の材質と筆感の対応関係を示す図である。
【図２０】第２実施形態におけるボールペン１の断面図である。
【図２１】永久磁石２１および回転子１７の斜視図である。
【図２２】コイル２２およびノック部材３の斜視図である。
【図２３】第３実施形態における構成を示す図である。
【図２４】第３実施形態におけるボールペン１の断面図である。
【発明を実施するための形態】
【００１２】
（第１実施形態）
以下、第１実施形態について説明する。図１の断面図に示すように、本実施形態のボールペン１（２触ペン）は、本体２、ノック部材３、溝形成部４を有している。本体２は、ボールペン１のうちノック部材３および溝形成部４以外の部分であり、軸筒１１、グリップ１２、クリップ１３、中芯１４、バネ１５、後端カバー１６、回転子１７を有している。
【００１３】
軸筒１１は、中芯１４等を収容する無底筒形状の筐体であり、後側軸筒１１１および前側軸筒１１２を備えている。後側軸筒１１１は、前側軸筒１１２よりも後側（図１の上側）に配置された部材であり、図１、図２、図３に示すように、無底筒形状を有している。また、図１に示すように、後側軸筒１１１の前側（図１の下側、図３の左側）の端部の内周面に、前側軸筒１１２の雄ネジと螺合する雌ネジが形成されている。また、図３に示すように、後側軸筒１１１の後側の端部の内周面に、後側軸筒１１１と一体に形成された溝形成部４が配置されている。溝形成部４の構造については後述する。以下、この軸筒１１の軸芯を、単に軸芯という。また、本明細書では、軸筒１１の長手方向を前後方向と呼び、前後方向の前側をペン先側とする。
【００１４】
前側軸筒１１２は、後側軸筒１１１よりも前側に配置された無底筒形状の部材であり、前側軸筒１１２の後側の端部の外周面に、後側軸筒１１１の上記雌ネジと螺合する雄ネジが形成されている。後側軸筒１１１の上記雌ネジと前側軸筒１１２の上記雄ネジが螺合することで、後側軸筒１１１に対して前側軸筒１１２が固定される。
【００１５】
後側軸筒１１１と前側軸筒１１２の材質は、同じであってもよいし、違っていても良い。例えば、後側軸筒１１１と前側軸筒１１２は、どちらもポリプロピレン製であってもよいし、どちらもポリカーボネート製であってもよい。後側軸筒１１１と前側軸筒１１２の材質の詳細については、後述する。
【００１６】
グリップ１２は、前側軸筒１１２のうち、筆記者が把持すると想定された部分の外周に巻かれたゴム部材であり、筆記者の指がボールペン１に対して滑ることを防止する目的のために用いられる。また、グリップ１２がゴム部材である場合は、滑り止め以外にも柔らかさを演出するという効果も発揮する。柔らかさを演出するという効果は、後述する第１筆感状態であれば、グリップ１２としてアルミ部材などを用いても実現可能である。クリップ１３は、後側軸筒１１１の外周に取り付けられており、ボールペン１をシャツの胸ポケット内に挿入した際、クリップ１３と後側軸筒１１１で胸ポケットが挟まれ、ボールペン１の位置が安定する。
【００１７】
中芯１４は、軸芯方向に延びる棒形状の部材であり、インクタンク１４１および先端部１４２を有している。インクタンク１４１は、軸筒１１に内装される筒形状の部材であり、内部に図示しないインクが充填された円筒形状となっている。
【００１８】
先端部１４２は、インクタンク１４１の前側端部に取り付けられ、インクタンク１４１と接続すると共にインクタンク１４１よりも小径のジョイント、および、ジョイントよりも前側にあるチップを、供えている。チップにはジョイントを介してインクタンク１４１からインクが供給される。筆記時には、チップの最も前端にあるペン先（筆記具の先端の一例に相当する）から、インクが吐出される。この先端部１４２のチップ（ペン先を含む）は、筆記可能な状態においては、前側軸筒１１２の前側の開口部である先口から軸筒１１の外に突出している。また、先端部１４２の全体（ペン先を含む）は、筆記不可能な状態においては、前側軸筒１１２内に内装されている。
【００１９】
バネ１５は、先端部１４２のジョイントの外周に取り付けられ、後端側がインクタンク１４１の前端面に当接し、前端側が前側軸筒１１２の内周面に当接する。これにより、インクタンク１４１はバネ１５の伸びようとする復元力によって後方に付勢される。後端カバー１６は、後側軸筒１１１の後端に固定された樹脂製の補強部材である。
【００２０】
また、図３、図４、図５に示すように、後側軸筒１１１の後側の端部の内周面に、溝形成部４（付勢部材の一例に相当する）が形成されている。溝形成部４は、ノック部材３、回転子１７と連携してボールペン１の筆記可能な状態と筆記不可能な状態を切り替え可能にするための部材である。それと共に溝形成部４は、ノック部材３の第１筆感状態と第２筆感状態の間の切り替えを可能とする部材である。
【００２１】
溝形成部４は、第１カム部材４１、第２カム部材４２、第３カム部材４３を有している。図４、図５に示すように、第１、第２、第３カム部材４１、４２、４３は、この順で軸芯から見た周方向の図４の時計回り方向に、等間隔で配置されている。これにより、第１カム部材４１と第２カム部材４２の間には前後方向に延びる第１溝Ｖ１２が形成され、第２カム部材４２と第３カム部材４３の間には、前後方向に延びる第２溝Ｖ２３が形成され、第３カム部材４３と第１カム部材４１の間には、前後方向に延びる第３溝Ｖ３１が形成される。
【００２２】
第１カム部材４１は、図３、図４、図５に示すように、第１歯部４１ａ、窪み部４１ｂ、第２歯部４１ｃを有している。第１歯部４１ａ、窪み部４１ｂ、第２歯部４１ｃは、この順番に軸芯から見た周方向の図４の時計回り方向に、間隔を置かずに並んで配置されている。
【００２３】
第１歯部４１ａは、図３に示すように、前側の端面が、前後方向に対して斜めに形成されている。また第１歯部４１ａは、図３、図５に示すように、後側の端面が、前後方向に垂直な２段に形成されている。この２段の後側端面のうち、より第３溝Ｖ３１に近くかつより前側に凹んでいる方の端面を、凹み端面４１ａｖという。
【００２４】
第２歯部４１ｃは、図３に示すように、前側の端面が、前後方向に対して斜めに形成されている。第２歯部４１ｃの前側の端面の向きと第１歯部４１ａの前側の端面の向きは同じなので、これら２つの端面はのこぎり歯状に並んでいる。また第２歯部４１ｃは、図３、図５に示すように、後側の端面が、前後方向に垂直な２段に形成されている。この２段の後側端面のうち、より窪み部４１ｂに近くかつより前側に凹んでいる方の端面を、凹み端面４１ｃｖという。
【００２５】
窪み部４１ｂは、第１歯部４１ａと第２歯部４１ｃの間に配置され、第１歯部４１ａ、第２歯部４１ｃよりも軸芯から離れる方向に窪んだ部分である。なお、第１歯部４１ａ、窪み部４１ｂ、第２歯部４１ｃによって囲まれた溝（以下、窪み部４１ｂの溝という）の深さは、第１〜第３溝Ｖ１２、Ｖ２３、Ｖ３１の深さよりも小さい。
【００２６】
第２カム部材４２は、図４、図５に示すように、第１歯部４２ａ、窪み部４２ｂ、第２歯部４２ｃを有している。第１歯部４２ａ、窪み部４２ｂ、第２歯部４２ｃは、この順番に軸芯から見た周方向の図４の時計回り方向に、間隔を置かずに並んで配置されている。
【００２７】
第１歯部４２ａは、図示しないが、第１歯部４１ａと同様に、前側の端面が、前後方向に対して斜めに形成されている。また第１歯部４２ａは、図５に示すように、後側の端面が、前後方向に垂直な２段に形成されている。この２段の後側端面のうち、より第１溝Ｖ１２に近くかつより前側に凹んでいる方の端面を、凹み端面４２ａｖという。
【００２８】
第２歯部４２ｃは、図示しないが、第２歯部４１ｃと同様に、前側の端面が、前後方向に対して斜めに形成されている。第２歯部４２ｃの前側の端面の向きと第１歯部４２ａの前側の端面の向きは同じなので、これら２つの端面はのこぎり歯状に並んでいる。また第２歯部４２ｃは、図５に示すように、後側の端面が、前後方向に垂直な２段に形成されている。この２段の後側端面のうち、より窪み部４２ｂに近くかつより前側に凹んでいる方の端面を、凹み端面４２ｃｖという。
【００２９】
窪み部４２ｂは、第１歯部４２ａと第２歯部４２ｃの間に配置され、第１歯部４２ａ、第２歯部４２ｃよりも軸芯から離れる方向に窪んだ部分である。なお、第１歯部４２ａ、窪み部４２ｂ、第２歯部４２ｃによって囲まれた溝（以下、窪み部４２ｂの溝という）の深さは、第１〜第３溝Ｖ１２、Ｖ２３、Ｖ３１の深さよりも小さい。
【００３０】
第３カム部材４３は、図３、図４、図５に示すように、第１歯部４３ａ、窪み部４３ｂ、第２歯部４３ｃを有している。第１歯部４３ａ、窪み部４３ｂ、第２歯部４３ｃは、この順番に軸芯から見た周方向の図４の時計回り方向に、間隔を置かずに並んで配置されている。
【００３１】
第１歯部４３ａは、図示しないが、第１歯部４１ａと同様に、前側の端面が、前後方向に対して斜めに形成されている。また第１歯部４３ａは、図５に示すように、後側の端面が、前後方向に垂直な２段に形成されている。この２段の後側端面のうち、より第２溝Ｖ２３に近くかつより前側に凹んでいる方の端面を、凹み端面４３ａｖという。
【００３２】
第２歯部４３ｃは、図３に示すように、前側の端面が、前後方向に対して斜めに形成されている。第２歯部４３ｃの前側の端面の向きと第１歯部４３ａの前側の端面の向きは同じなので、これら２つの端面はのこぎり歯状に並んでいる。また第２歯部４３ｃは、図３、図５に示すように、後側の端面が、前後方向に垂直な２段に形成されている。この２段の後側端面のうち、より窪み部４３ｂに近くかつより前側に凹んでいる方の端面を、凹み端面４３ｃｖという。
【００３３】
窪み部４３ｂは、第１歯部４３ａと第２歯部４３ｃの間に配置され、第１歯部４３ａ、第２歯部４３ｃよりも軸芯から離れる方向に窪んだ部分である。なお、第１歯部４３ａ、窪み部４３ｂ、第２歯部４３ｃによって囲まれた溝（以下、窪み部４３ｂの溝という）の深さは、第１〜第３溝Ｖ１２、Ｖ２３、Ｖ３１の深さよりも小さい。
【００３４】
回転子１７（中間部材の一例に相当する）は、樹脂製（例えばポリアセタール樹脂製）の部材であり、図１、図６、図７に示すように、円筒形状の胴部１７１と、胴部の前端に取り付けられたフランジ部１７２と、胴部１７１の後端に取り付けられたリング部１７３を有している。更に回転子１７は、胴部１７１の外周に配置された第１係合部１７４ａ、第２係合部１７４ｂ、第３係合部１７４ｃを有している。これら部材１７１、１７２、１７３、１７４ａ、１７４ｂ、１７４ｃは、一体に形成されており、後側軸筒１１１内において、軸芯の周りに回転可能に配置されている。
【００３５】
胴部１７１は、前後方向に延びる円筒形状の部材である。フランジ部１７２は、胴部１７１の前端側に配置され、胴部１７１よりも少し外径が大きい円環形状の部材であり、中芯１４の後端面と当接する。リング部１７３は、胴部１７１の後端側に配置され、胴部１７１よりも外径が小さい円環形状の部材である。
【００３６】
係合部１７４ａ、１７４ｂ、１７４ｃは、胴部１７１の外周面において、軸芯から見て周方向に等間隔（具体的には１２０°間隔）に配置されている。また、係合部１７４ａ、１７４ｂ、１７４ｃのそれぞれは、軸芯から見て胴部１７１の外周面から径外方向に突出すると共に、前後方向に真っ直ぐ延びている。また、係合部１７４ａ、１７４ｂ、１７４ｃのそれぞれは、前側の端部においてフランジ部１７２と一体に接続し、後側の端部においてリング部１７３と一体に接続し、後端面が前後方向に対して斜めに形成されている。なお、係合部１７４ａ、１７４ｂ、１７４ｃの後端面の前後方向に対する傾き角は、すべて同じである。
【００３７】
ノック部材３（変位部材の一例に相当する）は、図８、図９、図１０に示す通り、円筒形状の本体部３１と、本体部３１の外周面に配置される第１突起部３２ａ、第２突起部３２ｂ、第３突起部３２ｃを有している。部材３１、３２ａ、３２ｂ、３２ｃは、一体に形成されている。このノック部材３は、後述する通り、筆記時に、係合部１７４ａ、１７４ｂ、１７４ｃに衝突するように変位可能である。
【００３８】
本体部３１は、後端側にのみ底のある円筒形状を有しており、前端側の端面は、頂部３３ａ、３３ｂ、３３ｃ、３３ｄ、３３ｅ、３３ｆが前側に配置され、谷部３４ａ、３４ｂ、３４ｃ、３４ｄ、３４ｅ、３４ｆが後側に配置された６個の三角山形状が、軸芯からみた周方向に、連続して並んでいる。このように形成されている本体部３１の前端側の端面は、回転子１７の係合部１７４ａ、１７４ｂ、１７４ｃの後端面と当接することができる。
【００３９】
第１突起部３２ａ、第２突起部３２ｂ、第３突起部３２ｃは、本体部３１の外周面の前端部において、軸芯から見て周方向に等間隔（具体的には１２０°間隔）に配置されている。また、第１突起部３２ａ、第２突起部３２ｂ、第３突起部３２ｃのそれぞれは、軸芯から見て本体部３１の外周面から径外方向に突出する。これら第１突起部３２ａ、第２突起部３２ｂ、第３突起部３２ｃは、それぞれ、窪み部４１ｂの溝、窪み部４２ｂの溝、窪み部４３ｂの溝に嵌っている。したがって、ノック部材３は、窪み部４１ｂの溝、窪み部４２ｂの溝、窪み部４３ｂの溝にガイドされて、軸芯を中心とする回転が規制されながら、前後方向に揺動可能である。
【００４０】
以上のような構成のボールペン１の作動について、以下説明する。まず、ボールペン１は、ノック部材３が押圧操作される度に、回転子１７が前後方向に移動すると共に回転する（すなわち変位する）ことで、筆記可能な状態と筆記不可能な状態とが切り替わる。ノック部材３の操作に応じて筆記可能な状態と筆記不可能な状態とが切り替わる技術は周知であるが、ここでも簡単に説明する。
【００４１】
筆記可能な状態においては、図１１に示すように、ノック部材３の前端面の３つの頂部３３ａ、３３ｃ、３３ｅおよびその近傍が、回転子１７の係合部１７４ａ、１７４ｂ、１７４ｃの上端面と、それぞれ、接触している。またこの状態では、図示しないが、係合部１７４ａ、１７４ｂ、１７４ｃの後部は、窪み部４１ｂ、４２ｂ、４３ｂの前側の端面に当たっている。したがって、回転子１７は、窪み部４１ｂ、４２ｂ、４３ｂに引っ掛かることで、それ以上後方に移動できない状態となっている。なお、図１１は、ボールペン１において軸筒１１、グリップ１２、後端カバー１６の紙面手前側の半分を省略した図である。
【００４２】
筆記可能な状態において筆記者がノック部材３を押圧操作すると、ノック部材３が前方に移動する。その結果、ノック部材３の前端面が回転子１７の係合部１７４ａ、１７４ｂ、１７４ｃを前方に付勢し、それにより、回転子１７も前方に移動する。この際、ノック部材３と係合部１７４ａ、１７４ｂ、１７４ｃの接触面が前後方向に対して斜めなので、回転子１７を軸芯を中心として回転させる力が接触面に働くが、第１歯部４１ａ、４２ａ、４３ａの周方向の端面との接触面から係合部１７４ａ、１７４ｂ、１７４ｃに逆の力が働くので、回転子１７は回転が規制されている。
【００４３】
更にノック部材３が押圧されて回転子１７がある程度前方に移動すると、係合部１７４ａ、１７４ｂ、１７４ｃが第１歯部４１ａ、４２ａ、４３ａに当接しなくなり、その結果、回転子１７が軸芯を中心として回転する。この回転は、係合部１７４ａ、１７４ｂ、１７４ｃの後端側頂点がノック部材３の谷部３４ａ、３４ｃ、３４ｅに当接するまで続き、当接した時点で停止する。
【００４４】
その後、筆記者がノック部材３の押圧を止めてノック部材３から手を離すと、バネ１５の復元力により、中芯１４、回転子１７、ノック部材３は後方に移動する。このとき、係合部１７４ａ、１７４ｂ、１７４ｃは、後端面が第２歯部４１ｃ、４２ｃ、４３ｃに付勢されることにより、回転しながら後方に進み、その後、第１溝Ｖ１２、第２溝Ｖ２３、第３溝Ｖ３１に嵌まり、これら溝Ｖ１２、Ｖ２３、Ｖ３１にガイドされて更に後方に移動する。
【００４５】
係合部１７４ａ、１７４ｂ、１７４ｃが溝Ｖ１２、Ｖ２３、Ｖ３１にガイドされて更に後方に移動することにより、中芯１４の先端部１４２が完全に前側軸筒１１２内に収容される。この作動により、筆記不可能な状態が実現される。
【００４６】
筆記不可能な状態において筆記者がノック部材３を押圧操作すると、ノック部材３が前方に移動する。その結果、ノック部材３の前端面が係合部１７４ａ、１７４ｂ、１７４ｃを前方に付勢し、それにより、回転子１７も前方に移動する。この際、筆記可能な状態でノック部材３が押圧操作され始めた時点と同様の機構により、回転子１７は溝Ｖ１２、Ｖ２３、Ｖ３１により回転が規制されている。また、更にノック部材３が押圧されたときに回転子１７が回転して停止する機構も、筆記可能な状態でノック部材３が引き続き押圧操作された段階と同じである。
【００４７】
その後、筆記者がノック部材３の押圧を止めてノック部材３から手を離すと、バネ１５の復元力により、中芯１４、回転子１７、ノック部材３は後方に移動する。このとき、係合部１７４ａ、１７４ｂ、１７４ｃは、後端面が第１歯部４１ａ、４２ａ、４３ａに付勢されることにより、回転しながら後方に進み、その後、後端面が窪み部４１ｂ、４２ｂ、４３ｂの前端面に当接することで停止する。この状態は、先端部１４２のチップが前側軸筒１１２の外部に突出した状態なので、筆記可能な状態が実現する。
【００４８】
また、本実施形態のボールペン１では、筆記可能な状態において、ノック部材３の第１筆感状態と第２筆感状態を切り替えることができる。筆記可能な状態における第１筆感状態は、図１１、図１２、図１３に示した状態である。
【００４９】
この状態では、図１２に示すように、ノック部材３は、第１突起部３２ａ、第２突起部３２ｂ、第３突起部３２ｃが窪み部４１ｂ、４２ｂ、４３ｂの溝に嵌って、軸芯を中心とする回転が規制されながら前後方向に揺動可能となっている。したがって、第１筆感状態においてはボールペン１の動きに応じてノック部材３がボールペン１の他の部分（本体２および溝形成部４）に対して変位する。この状態では、溝形成部４の凹み端面４１ｃｖ、４２ｃｖ、４３ｃｖは、ノック部材３と接触していない。したがって、凹み端面４１ｃｖ、４２ｃｖ、４３ｃｖがノック部材３を付勢する力はゼロである。
【００５０】
また、筆記可能な状態における第２筆感状態は、図１４、図１５、図１６に示した状態である。この状態は、筆記者が、第１筆感状態において、ノック部材３を摘んで後方に引っ張り、ノック部材３が可動範囲中で最も後方に位置した段階で、軸芯を中心としてノック部材３を図１６中時計回り方向に回転させる。これにより、ノック部材３の第１突起部３２ａ、第２突起部３２ｂ、第３突起部３２ｃが、図１６に示すように、それぞれ、第２歯部４１ｃの凹み端面４１ｃｖ、第２歯部４２ｃの凹み端面４２ｃｖ、第２歯部４３ｃの凹み端面４３ｃｖの後側の空間に嵌まる。
【００５１】
このとき、ノック部材３の第１突起部３２ａ、第２突起部３２ｂ、第３突起部３２ｃの前端面は、それぞれ、凹み端面４１ｃｖ、４２ｃｖ、４３ｃｖに当接する。したがって、ノック部材３は、凹み端面４１ｃｖ、４２ｃｖ、４３ｃｖによって、軸芯方向に平行かつ回転子１７からから離れる方向に、付勢される。
【００５２】
更に、図示しないが、ノック部材３の第１突起部３２ａ、第２突起部３２ｂ、第３突起部３２ｃの後端面は、後端カバー１６の前端面に当接する。つまり、第２筆感状態においては、ノック部材３の第１突起部３２ａ、第２突起部３２ｂ、第３突起部３２ｃの後端面は、凹み端面４１ｃｖ、４２ｃｖ、４３ｃｖと後端カバー１６との間に圧入された状態となっている。したがって、第２筆感状態においては、ボールペン１を動かしても、ノック部材３はボールペン１の他の部分（本体２および溝形成部４）に対して固定される。
【００５３】
ここで、第１筆感状態におけるノック部材３の動きについて、図１７、図１８を用いて更に説明する。筆記可能な状態かつ第１筆感状態において、筆記者がボールペン１を用いて筆記を行うと、筆記に伴う動きがボールペン１に発生し、その動きと重力の作用によって、ノック部材３が本体２および溝形成部４に対して変位する。なお、筆記時には、通常、ボールペン１は立った状態で動く。すなわち、ノック部材３よりもペン先の方が鉛直方向下側に位置した状態で、ボールペン１が動く。
【００５４】
窪み部４１ｂ、４２ｂ、４３ｂと突起部３２ａ、３２ｂ、３２ｃとの間には僅かに隙間がある。したがって、重力下でボールペン１を立てて通常の方法で筆記した場合、ノック部材３は、中立状態、３つの一箇所接触傾斜状態、および３つの二箇所接触傾斜状態の間で遷移する。中立状態では、図１７に示すように、軸芯Ｓの方向とノック部材３の長手方向が一致し、係合部１７４ａ、１７４ｂ、１７４ｃのすべてが、後端部においてノック部材３の前端部と当接する。
【００５５】
３つの一箇所接触傾斜状態の各々では、軸芯Ｓの方向に対してノック部材３の長手方向が僅かに傾く。そしてこのとき、係合部１７４ａ、１７４ｂ、１７４ｃのうちいずれか１つだけが、後端部においてノック部材３の前端部と当接すると共に、他の２つの係合部は、ノック部材３と接触しない。図１８に、これら３つの傾斜状態のうち、第２係合部１７４ｂのみがノック部材３と当接している傾斜状態を示す。なお、図１８では、ノック部材３の軸芯Ｓに対する傾き角を実際よりも誇張して記載している。
【００５６】
３つの二箇所接触傾斜状態の各々では、軸芯Ｓの方向に対してノック部材３の長手方向が僅かに傾く。そしてこのとき、係合部１７４ａ、１７４ｂ、１７４ｃのうちいずれか２つが、後端部においてノック部材３の前端部と当接すると共に、他の１つの係合部は、ノック部材３と接触しない。
【００５７】
中立状態、３つの一箇所接触傾斜状態、および３つの二箇所接触傾斜状態の間の遷移順序は、ボールペン１の動きに応じて様々である。中立状態から３つの一箇所接触傾斜状態のうちいずれか１つに遷移する場合もあれば、３つの一箇所接触傾斜状態のいずれかから中立状態に遷移する場合もある。また、中立状態から３つの二箇所接触傾斜状態のうちいずれか１つに遷移する場合もあれば、３つの二箇所接触傾斜状態のいずれかから中立状態に遷移する場合もある。また、３つの一箇所接触傾斜状態のいずれかから３つの二箇所接触傾斜状態のうちいずれか１つに遷移する場合もあれば、３つの二箇所接触傾斜状態のいずれかから３つの一箇所接触傾斜状態のうちいずれか１つに遷移する場合もある。また、１つの一箇所接触傾斜状態から他の一箇所接触傾斜状態に遷移する場合もあれば、１つの二箇所接触傾斜状態から他の二箇所接触傾斜状態に遷移する場合もある。
【００５８】
一箇所接触傾斜状態の１つから中立状態に変位するときは、係合部１７４ａ、１７４ｂ、１７４ｃのうち上記１つとノック部材３の当接部分が支点となり、他の２つの係合部がノック部材３に同時に衝突する。このような挙動でノック部材３と回転子１７が衝突するときは、必ずノック部材３と回転子１７の相対的な傾きがゼロになっている。また、衝突した直後に、係合部１７４ａ、１７４ｂ、１７４ｃのうちいずれか１つとノック部材３の当接部分が支点となってノック部材３が傾き、これにより中立状態から傾斜状態への遷移が発生することがある。
【００５９】
また、二箇所接触傾斜状態から中立状態に遷移する場合も、一箇所接触傾斜状態から二箇所接触傾斜状態に遷移する場合も、この遷移によって新たにノック部材３と当接することになる係合部が、ノック部材３と衝突する。また、ある一箇所傾斜状態から他の一箇所傾斜状態に遷移する場合も、ある二箇所傾斜状態から他の二箇所傾斜状態に遷移する場合も、この遷移によって新たにノック部材３と当接することになる係合部が、ノック部材３と衝突する。また、二箇所接触傾斜状態から一箇所接触傾斜状態に遷移する場合も、この遷移によって新たにノック部材３と当接することになる係合部があれば、その係合部がノック部材３と衝突するが、なければ、衝突は発生しない。
【００６０】
このような動きが３次元的に繰り返し行われることで、ノック部材３が揺動しながら回転子１７との衝突を繰り返す。そしてその揺動の最大傾斜角度や周期が、筆記の動きや紙などによって変わり、回転子１７に伝わる衝突による振動が多様化する。
【００６１】
ノック部材３と回転子１７の衝突時は、図１７に示すように、回転子１７のうち係合部１７４ａ、１７４ｂ、１７４ｃの後端面が、それぞれ、ノック部材３の頂部３３ａ、３３ｃ、３３ｅおよびその近傍と接触し、それ以外の部分はノック部材３と接触しない。
【００６２】
例えば、机の上に下敷きを置き、その下敷きの上に紙を置き、その紙にボールペン１で筆記を行ったとする。筆記可能な状態では、中芯１４がバネ１５の力によって回転子１７を溝形成部４のカム部材４１、４２、４３の前端面に押しつけているので、この場合、筆記による振動は、ボールペン１のペン先から先端部１４２、インクタンク１４１、回転子１７の順に伝達する。更にこの振動は、回転子１７からカム部材４１、４２、４３、後側軸筒１１１、前側軸筒１１２、グリップ１２の順に伝達し、グリップ１２から筆記者の指に伝達する。なお、このような伝達経路は、筆記による複数の振動伝達経路のうちの１つである。筆記者は、この振動から筆感を得る。
【００６３】
第２筆感状態では、本体２の後端にノック部材３が固定されているので、ノック部材３は上記の筆記による振動伝達経路から実質的に切り離されている。しかし、第１筆感状態では、ノック部材３が回転子１７に繰り返し衝突するので、筆記による振動伝達経路の途中に、ノック部材３と回転子１７の衝突による振動が作用する。したがって、ノック部材３と回転子１７の衝突による振動が、筆記者の筆感に影響を与える。
【００６４】
発明者は、本実施形態のボールペン１について、後側軸筒１１１と前側軸筒１１２の材質の種々の組み合わせについて、第１筆感状態と第２筆感状態の筆感の官能評価を行った。その結果を図１９に示す。
【００６５】
図１９の表中、Ａは８００ＭＰａのヤング率を有する材質（具体的には熱硬化性ポリウレタン樹脂）であり、Ｂは２３００ＭＰａのヤング率を有する材質（具体的には熱硬化性ポリウレタン樹脂）である。また、Ｃは２４００ＭＰａのヤング率を有する材質（具体的にはポリカーボネート樹脂）であり、Ｄは１６００ＭＰａのヤング率を有する材質（具体的にはポリプロピレン樹脂）である。
【００６６】
この実験における評価項目は、抵抗、振動、やわらかさ、つっかかりの４項目であり、いずれも１から５までの５段階評価で表されている。抵抗は、ボールペン１と紙の間の摩擦に起因する抵抗の感覚であり、数値が大きいほど抵抗が大きいことを示している。振動は、筆記中において指に感じる振動の強度の大小を表し、数値が大きいほど強度が大きいことを示している。やわらかさは、ボールペン１が紙に当たったとき、および、ボールペン１が紙に接触して紙の上を移動しているときの、筆記者が感じるボールペン１または紙の柔らかさであり、数値が大きい程よりやわらかいことを示している。つっかかりは、ボールペン１のペン先（チップの最前端にあるボール）が回転せずに引っ掛かっている感覚であり、数値が大きいほど引っ掛かりの度合いが大きいことを示している。評価結果は、評価者が自分の感覚に基づいて数値を決定したものである。
【００６７】
図１９には、後側軸筒１１１と前側軸筒１１２の両方で同じ材質Ａを用いた場合、後側軸筒１１１に材質Ａを用い前側軸筒１１２に材質Ｂを用いた場合、後側軸筒１１１に材質Ｂを用い前側軸筒１１２に材質Ａを用いた場合、後側軸筒１１１と前側軸筒１１２の両方で同じ材質Ｂを用いた場合、後側軸筒１１１に材質Ｃを用い前側軸筒１１２に材質Ｄを用いた場合（市販されている製品と同じ材質を用いた場合）の結果が示されている。
【００６８】
これらの結果によれば、第１筆感状態では比較的ソフトタッチな筆感が実現し、第２筆感状態では比較的シャープでハードタッチな筆感が実現する。また、後側軸筒１１１と前側軸筒１１２の両方が同じ材質である場合の方が、そうでない場合に比べて、第１筆感状態と第２筆感状態の差が顕著になっていることがわかる。
【００６９】
図１９について、第１、第２筆感状態の数値の差の絶対値をすべての評価項目の総和値で評価すると、後側軸筒１１１と前側軸筒１１２の両方が同じ材質である場合の方が、そうでない場合に比べて、第１、第２筆感状態の差がより顕著になっている。
【００７０】
このようになるのは、後側軸筒１１１と前側軸筒１１２がインピーダンスマッチングしているからである可能性がある。その観点から見れば、例えば、後側軸筒１１１のヤング率に対する前側軸筒１１２のヤング率の比は、０．９５以上１．０５以下であれば、つまり、両者のヤング率が概ね同じであれば、そうでない場合に比べ、第１、第２筆感状態の差がより顕著になっている可能性が高い。
【００７１】
また、図１９について、やわらかさについては、後側軸筒１１１と前側軸筒１１２の両方が同じ材質であり、かつ、ヤング率が８００ＭＰａという比較的低い値の場合で、第１、第２筆感状態の差が一番顕著になっている。この観点から見れば、後側軸筒１１１のヤング率および前側軸筒１１２のヤング率は、いずれも２０００ＭＰａ以下であれば、そうでない場合に比べ、第１、第２筆感状態の差がより顕著になっている可能性が高い。
【００７２】
また、ボールペン１を用いた別の筆記実験によれば、例えば、筆記者が目を閉じて筆記した場合、第２筆感状態の場合は、ボールペン１の先端部１４２のペン先の位置を比較的思い描ける。つまり、第２筆感状態では、筆記者の把持している３指の位置および姿勢から推定されるペン先の位置に、硬い机と下敷きの上の紙と接触している感覚が得られるのに対し、第１筆感状態では、ペン先が硬い机と下敷きの上の紙と接触している感覚が消失している。これは、先に示した官能評価の結果と深く関わっており、筆感生成メカニズムの本質的解明の糸口になると発明者は考えている。
【００７３】
なお、どの実験結果においても、先端部１４２から紙へのインクの吐出量に、通常のばらつきを超える違いは見られなかった。また、第１筆感状態の方が、第２筆感状態よりも筆圧が低い傾向にある。
【００７４】
以上説明した通り、本実施形態のボールペン１は、中芯１４から回転子１７、溝形成部４を介して軸筒１１に振動が伝達するように構成されており、ノック部材３が、回転子１７の第１筆感状態と第２筆感状態の間の切り替えを可能とする凹み端面４１ｃｖ、４２ｃｖ、４３ｃｖを有している。
【００７５】
そして、凹み端面４１ｃｖ、４２ｃｖ、４３ｃｖがノック部材３を付勢する力が変化することで、筆記時におけるノック部材３と回転子１７の係合部１７４ａ、１７４ｂ、１７４ｃ（所定の衝突対象部位の一例に相当する）との衝突の有無が変化し、その結果、筆記者の筆感が変化する。
【００７６】
より具体的には、第１筆感状態では、筆記時の本体２の動きによってノック部材３が変位して本体２のうち回転子１７の係合部１７４ａ、１７４ｂ、１７４ｃ（所定の衝突対象部位の一例に相当する）に繰り返し衝突し、衝突による振動が軸筒１１に伝達される。また、第２筆感状態では、筆記時にノック部材３が固定されて係合部１７４ａ、１７４ｂ、１７４ｃに衝突しない。
【００７７】
このように、第１筆感状態では、ノック部材３と衝突対象部位の衝突による振動が軸筒１１に伝達され、第２筆感状態では、ノック部材３と衝突対象部位の衝突が無いので、第１筆感状態と第２筆感状態の間で筆感に差が生じる。また、弾性部材の弾性力を変化させて筆感を切り替える場合に比べ、筆記時にペン先が弾力的に変位する可能性が低いので、筆記時にペン先が軸筒に対して移動する量を従来よりも低減することができる。
【００７８】
また、特許文献１のような手法で弾性力の変動を感じ取るためには筆記時の筆圧が大きく影響してくる。例えば、筆圧が低い人の場合、バネの弾性力が最も小さい段階でもバネの弾性力の変動を発生させることが困難な場合がある。また例えば、筆圧が非常に高い人の場合、バネの弾性力の変動が大きくなりすぎて、ペン先がペン本体に対して上下に大きく移動してしまい、その結果、筆記者が筆記時に違和感を覚えてしまうおそれがある。これに対し、本実施形態のボールペン１は、筆記時にペン先が弾力的に変位する可能性が低いので、筆記者の筆圧による筆感の影響を低減することができる。
【００７９】
また、特許文献１のように弾性部材の弾性力を変化させる手法では、筆感が質的に変わるのではなく、筆感の一側面である弾力感が量的に変化するに過ぎない。これに対し、本実施形態の第１筆感状態と第２筆感状態では、上記の通り、質的に大きく異なっている。
【００８０】
また、ボールペン１では、ノック部材３に対して外部の振動発生装置等から能動的に振動を与えるのではなく、筆記時の中芯１４の振動によって自然かつ受動的にノック部材３が振動する。これに対して、外部の振動発生装置等を使ってノック部材３の前記振動を模擬して、この振動を回転子１７に与えることは原理的に可能であるが、筆記時の中芯１４の振動が変化した場合は、それに対応した振動に切り替える必要があり、これらを満たす振動発生装置は一般的に大掛かりになり、実現した筆感が不自然になるなど現実的ではない。
【００８１】
また、筆記時に中芯１４と軸筒１１の両方に接触する回転子１７の一部に、ノック部材３が衝突する衝突対象部位がある。このように、第１筆感状態では、中芯１４から軸筒１１への振動の伝達経路上の回転子１７に変位部材が衝突することで、より効果的に衝突による振動が筆記者の手に伝わるので、第１筆感状態と第２筆感状態の筆感の違いが更に顕著になる。
【００８２】
また、周知のノック機構として用いられる部材を変位部材および中間部材として兼用することで、よりシンプルな構成で筆感の切り替えを実現することができる。
【００８３】
また、ノック部材３は、第１筆感状態において、筆記時に、互いに離れた複数箇所３３ａ、３３ｃ、３３ｅが回転子１７の係合部１７４ａ、１７４ｂ、１７４ｃに繰り返し衝突する。このようになっていることで、ノック部材３と衝突対象部位の衝突の態様が適切になり、その結果、第１筆感状態と第２筆感状態の筆感の違いが更に顕著になる。
【００８４】
なお、発明者の別の実験によれば、筆記時に使用する上記下敷きの紙側の面の粗さを変えると、筆記時の中芯１４の振動が変化する。したがって、使用する下敷きの粗さを最適化することで、第１筆感状態と第２筆感状態の筆感の差を最大化することができる。
【００８５】
また、第２筆感状態から第１筆感状態への切り替えは、上述の第１筆感状態から第２筆感状態への操作を経時的に逆にした操作で実現する。
【００８６】
（第２実施形態）
次に第２実施形態について説明する。図２０に示すように、本実施形態のボールペン１は、第１実施形態のボールペン１に対し、磁力の発生、非発生を切り替え可能な部材として、永久磁石２１、コイル２２、導線２３ａ、２３ｂ、電源２４、スイッチ２５が追加されている。永久磁石２１およびコイル２２が付勢部材の一例に相当する。
【００８７】
永久磁石２１は、図２０、図２１に示すように、円盤形状を有しており、回転子１７の後端にあるリング部１７３に囲まれる様にリング部１７３の内側に挿入される。これにより、永久磁石２１は、回転子１７に対して固定される。
【００８８】
コイル２２は、図２０、図２２に示すように、ノック部材３の前端部の内壁面において、軸芯を中心として多数回（例えば６００回）巻きめぐらされている。これにより、コイル２２は、ノック部材３に固定される。そして、永久磁石２１とコイル２２は対向して配置される。なお、コイル２２の内側に鉄心等の芯は配置されない。
【００８９】
導線２３ａ、２３ｂは、それぞれ、コイル２２の一端および他端に接続され、ノック部材３の後端部に空けられた貫通孔を通ってボールペン１の外部に延びている。そして、導線２３ａ、２３ｂは、直列に繋がれた直流電源２４およびスイッチ２５から成る回路の一端および他端に、それぞれ、接続されている。スイッチ２５は、筆記者が手動でオン、オフを切り替えることができるようになっている。
【００９０】
ボールペン１の筆記可能な状態において、筆記者がスイッチ２５をオンにすると、電源２４からコイル２２に電流が供給され、永久磁石２１が発生する磁界とコイル２２が発生する磁界により、永久磁石２１とコイル２２が互いに反発し合う。その結果、コイル２２がノック部材３を軸芯方向後方に強く付勢する。そしてその付勢力により、ノック部材３が可動範囲の最後端の位置に固定され、第２筆感状態が実現する。この状態で筆記者がボールペン１を用いて筆記を行ってボールペン１が動いても、ノック部材３は固定されたままとなる。
【００９１】
また、ボールペン１の筆記可能な状態において、筆記者がスイッチ２５をオンからオフに切り替えると、電源２４からコイル２２への電流供給が停止され、コイル２２が磁界を発生しなくなる。つまり、コイル２２がノック部材３を軸芯方向後方に付勢する力がほぼゼロになる。鉄心等の芯が無いので、この結果、コイル２２が永久磁石２１から力を受けなくなり、ボールペン１のペン先が下を向いている場合は、重力によりノック部材３が前側に落ちて回転子１７と衝突する。その後もノック部材３は、窪み部４１ｂ、４２ｂ、４３ｂの溝にガイドされてボールペン１の筆記に応じて変位し、回転子１７に繰り返し衝突するので、第１筆感状態が実現する。
【００９２】
このように磁力を利用することで、筆記者がノック部材３に触れなくても、コイル２２のノック部材３への付勢力を変化させて第１筆感状態と第２筆感状態の切り替えを実現できる。また、筆記中に、第１筆感状態と第２筆感状態の切り替えを容易に実現できる。なお、本実施形態では、第１実施形態と同様、凹み端面４１ｃｖ、４２ｃｖ、４３ｃｖが形成されていてもよいし、あるいは、形成されていなくてもよい。
【００９３】
（第３実施形態）
次に第３実施形態について、図２３を用いて説明する。本実施形態のボールペン１は、第２実施形態のボールペン１に対して、スイッチ２５を制御装置２６に置き換えたものである。この制御装置は、周知の通信方法（例えば、ＬＡＮケーブルを介した有線通信、Ｂｌｕｅｔｏｏｔｈ（登録商標）による無線通信）で携帯端末５０（例えば、スマートフォン、タブレット端末、ノートＰＣ）と通信可能となっている。また、制御装置２６は、上記通信方法を用いて携帯端末５０から受信した命令に従って、電源２４からコイル２２への電流の供給の有無を切り替えることができる。
【００９４】
そして、携帯端末５０は、インターネット等の広域ネットワーク（図示せず）から、制御装置２６に命令を送信するためのプログラムをダウンロードし、ダウンロードしたプログラムを実行するようになっている。
【００９５】
［応用例１］
例えば、携帯端末５０がダウンロードして実行するプログラムとしては、脳波応答プログラムがある。この脳波応答プログラムを携帯端末５０が実行する場合は、脳波を取得するモバイルヘッドセット（例えば、ニューロスカイ社製脳波コントロール  ＭｉｎｄＷａｖｅ）が携帯端末５０に接続されている。このモバイルヘッドセットは、筆記者の頭に装着されて、筆記者の脳波に応じた信号を携帯端末５０に出力する。
【００９６】
脳波応答プログラムを実行することで、携帯端末５０は、このモバイルヘッドセットから出力された信号に基づいて、筆記者の脳波のうちα波のレベルを繰り返し定期的に取得する。そして、取得したα波のレベルが基準レベル未満であれば、制御装置２６に対してオン命令を出力する。このオン命令を受信した制御装置２６は、電源２４からコイル２２への電流供給を行うことで、第２筆感状態を実現する。これにより、筆記者は、ボールペン１を用いた筆記時に、比較的ハードタッチな筆感を得る。
【００９７】
その後、取得したα波のレベルが基準レベル以上になると、携帯端末５０は、制御装置２６に対してオフ命令を出力する。このオフ命令を受信した制御装置２６は、電源２４からコイル２２への電流供給を停止することで、第１筆感状態を実現する。これにより、筆記者は、ボールペン１を用いた筆記時に、比較的ソフトタッチな筆感を得る。このように、筆記者の脳のα波に基づいて、自動的に筆感が切り替わる。
【００９８】
［応用例２］
また例えば、携帯端末５０がダウンロードして実行するプログラムとしては、使用時間応答プログラムがある。使用時間応答プログラムを実行することで、携帯端末５０は、筆記者がボールペン１の使用を開始し始めた使用開始時点（例えば、勉強開始時点）からの経過時間を繰り返し計測する。なお、携帯端末５０は、筆記者が携帯端末５０に対して所定の使用開始操作を行った時点を、使用開始時点とする。
【００９９】
そして携帯端末５０は、経過時間が基準時間未満であれば、制御装置２６に対してオン命令を出力する。このオン命令を受信した制御装置２６は、電源２４からコイル２２への電流供給を行うことで、第２筆感状態を実現する。これにより、筆記者は、ボールペン１を用いた筆記時に、比較的ハードタッチな筆感を得る。
【０１００】
その後、筆記者が疲れる程の時間が経過し、経過時間が基準時間以上になると、携帯端末５０は、制御装置２６に対してオフ命令を出力する。このオフ命令を受信した制御装置２６は、電源２４からコイル２２への電流供給を停止することで、第１筆感状態を実現する。これにより、筆記者は、ボールペン１を用いた筆記時に、比較的ソフトタッチな筆感を得る。このように、筆記者の疲れ度合いに応じて、自動的に筆感が切り替わる。
【０１０１】
［応用例３］
また例えば、携帯端末５０がダウンロードして実行するプログラムとしては、高齢者認知症防止プログラムがある。高齢者認知症防止プログラムを使用する場面としては、例えば、介護施設において高齢者がボールペン１を使用して筆記する場面がある。このような場面において携帯端末５０が高齢者認知症防止プログラムを実行することで、携帯端末５０は、ランダムに、あるいは、介護施設の職員により携帯端末５０への操作入力に基づいて、上述のオン命令、オフ命令を交互に制御装置２６に送信する。これにより、第１筆感状態と第２筆感状態が交互に切り替わる。
【０１０２】
そして、職員は、筆記者である高齢者に、筆感の切り替わりの有無を申告してもらう。このような訓練により、高齢者の認知力低下の防止となる。あるいは、筆感がランダムに切り替わることで、触感の変化が刺激となり通常の筆記よりも認知機能に良好な影響を与える可能性がある。
【０１０３】
［応用例４］
また例えば、携帯端末５０がダウンロードして実行するプログラムとしては、筆記スキル伝達プログラムがある。筆記スキル伝達プログラムを使用する場面としては、例えば、ボールペン習字の教室において生徒がボールペン１を使用して所定の文字を筆記する場面がある。また、この場面では、ボールペン１のペン先の現在の位置、移動速度、および筆圧を検出可能なセンサが、携帯端末５０に接続されている。このような場面において携帯端末５０が筆記スキル伝達プログラムを実行することで、携帯端末５０は、上記センサから、ボールペン１のペン先の現在の位置、移動速度、および筆圧の情報（以下、運筆情報）を繰り返し定期的に取得し、取得した運筆情報と、あらかじめ定められた上記所定の文字の手本のデータを比較する。当該文字の手本のデータは、当該文字を筆記する際のペン先の位置、移動速度、および筆圧の模範例を示すデータである。
【０１０４】
そして携帯端末５０は、当該文字の運筆情報と、当該文字の手本のデータとの一致度を、当該文字の筆記途中において、繰り返し算出する。そして、算出した一致度が基準値以上の場合、オン命令をボールペン１に送信して比較的ハードタッチな第２筆感状態を実現する。また、例えば模範の位置からペン先がはみ出した場合等、算出した一致度が基準値未満の場合、オフ命令をボールペン１に送信して比較的ソフトタッチな第１筆感状態を実現する。
【０１０５】
このようにすることで、筆記者は、ボールペン１の筆感から、自分の筆記内容に対する評価を得ることができる。ボールペン１の筆記内容の評価を筆感にフィードバックする他の方法としては、例えば、上記一致度が基準値未満の場合にボールペン１を能動的に振動させる方法があるが、その方法では、運筆が振動によって乱されてしまうという問題がある。それに対し、本応用例では、運筆が乱されることなく、ボールペン１の筆記内容の評価を筆感にフィードバックすることができる。
【０１０６】
［応用例５］
また例えば、携帯端末５０がダウンロードして実行するプログラムとしては、筆記対象対応プログラムがある。筆記対象対応プログラムを使用する場面としては、例えば、あらかじめ定められた複数種類の文字および複数種類の絵のうちから１つを選んでボールペン１で記載する場面がある。
【０１０７】
この場面においては、まず、筆記者が、携帯端末５０に対して選択操作を行うことで、あらかじめ定められた複数種類の文字および複数種類の絵のうちから１つを選ぶ。そして、携帯端末５０は、選択された文字または絵に対してあらかじめ割り当てられた筆感状態を実現するよう、制御装置２６にオン命令またはオフ命令を出力する。
【０１０８】
例えば、携帯端末５０は、ひらがなが選択された場合は、比較的ソフトタッチな第１筆感状態を実現するよう、オフ命令を制御装置２６に出力し、漢字が選択された場合は、比較的ハードタッチな第２筆感状態を実現するよう、オン命令を制御装置２６に出力する。
【０１０９】
また例えば、携帯端末５０は、人等の動物の絵が選択された場合は、比較的ソフトタッチな第１筆感状態を実現するよう、オフ命令を制御装置２６に出力し、家または車が選択された場合は、比較的ハードタッチな第２筆感状態を実現するよう、オン命令を制御装置２６に出力する。
【０１１０】
なお、携帯端末５０は、ボールペン１のペン先の現在の位置を検出可能なセンサが携帯端末５０に接続されている場合、当該センサの検出結果に基づいて、現在書かれている対象が、あらかじめ定められた複数種類の文字および複数種類の絵のうちのどれであるかを特定してもよい。そして携帯端末５０は、特定した対象に対してあらかじめ割り当てられた筆感状態を実現するよう、制御装置２６にオン命令またはオフ命令を出力してもよい。
【０１１１】
また例えば、携帯端末５０は、物の輪郭が選択された場合は、比較的ハードタッチな第２筆感状態を実現するよう、オン命令を制御装置２６に出力する。そして筆記者は、第２筆感状態が実現した状態で当該輪郭を記載する。そして携帯端末５０は、上記輪郭で囲まれた内部の領域が選択された場合は、比較的ソフトタッチな第１筆感状態を実現するよう、オフ命令を制御装置２６に出力する。そして筆記者は、第１筆感状態が実現した状態で当該領域を塗りつぶす。輪郭の記載を第２筆感状態で実現するのは、第２筆感状態ではペン先の位置をイメージしやすいからである。また、塗りつぶしを第１筆感状態で実現するのは、第１筆感状態では細いペン先の接触感覚が消失して都合が良いからである。
【０１１２】
［応用例６］
また例えば、携帯端末５０がダウンロードして実行するプログラムとしては、筆圧対応プログラムがある。筆圧対応プログラムを使用する場面では、ボールペン１の筆圧を検出可能なセンサが、携帯端末５０に接続されている。
【０１１３】
このような場面において携帯端末５０が筆圧対応プログラムを実行することで、携帯端末５０は、上記センサから、ボールペン１の筆圧の情報を繰り返し定期的に取得する。
【０１１４】
そして例えば、携帯端末５０は、取得した筆圧が基準筆圧値以上であれば制御装置２６に対してオフ命令を出力することで、比較的ソフトタッチな第１筆感状態を実現する。また携帯端末５０は、取得した筆圧が基準筆圧値未満であれば制御装置２６に対してオン命令を出力することで、比較的ハードタッチな第２筆感状態を実現する。
【０１１５】
［応用例７］
また例えば、携帯端末５０がダウンロードして実行するプログラムとしては、漢字学習支援プログラムがある。携帯端末５０は、漢字学習支援プログラムを実行することで、筆記者に漢字の練習を促す表示（例えば、漢字、読み、意味の同時表示）を行うと共に、一定時間間隔で、あるいは、ランダムなタイミングで、第１筆感状態と第２筆感状態とを切り替える。同一の筆感状態で漢字の練習を行う場合に比べ、上記のように筆感が変化する状態で漢字の練習を行う方が、脳に刺激が入り学習効果が期待できる。
【０１１６】
また、「筆感を切り替える」ことを学習者（筆記者）が意識した方が良い可能性がある。このようにするためには、携帯端末５０は、漢字学習支援プログラムを実行することで、筆記者の携帯端末５０に対する切替操作に応じて、練習モードとテストモードとを適宜切り替える。そして携帯端末５０は、練習モードでは、筆記者に漢字の練習を促す表示（例えば、漢字、読み、意味の同時表示）を行うと共に、第１筆感状態を実現する。そして携帯端末５０は、テストモードでは、筆記者に漢字のテストを出す表示（例えば、漢字の読みあるいは意味の表示）を行うと共に、第２筆感状態を実現する。このようにすれば、学習者（筆記者）は、比較的ハードタッチな第２筆感状態のときはテスト中だと認識し、適度な緊張感と集中力が生まれ、それが学習効果の向上をもたらすと考えられる。
【０１１７】
以上のように、本実施形態のボールペン１は、携帯端末５０からの指令に基づいて、筆感を切り替えることができる。
【０１１８】
（第４実施形態）
次に第４実施形態について、図２４を用いて説明する。本実施形態のボールペン１は、第３実施形態のボールペン１に対して、制御装置２６の位置をより具体的にしたものである。
【０１１９】
本実施形態の制御装置２６は、クリップ１３の内部空間に収容されている。より具体的には、クリップ１３は、図２４に示すように、内部空間を囲む中空形状となっている。そして、制御装置２６は、無線通信モジュール２６１、周辺回路部２６２、バッテリ２６３を有している。これら無線通信モジュール２６１、周辺回路部２６２、バッテリ２６３は、いずれもクリップ１３の上記内部空間に収容されている。
【０１２０】
また、クリップ１３には、周辺回路部２６２に対して開口する第１開口部１３１と、第１開口部よりも後方側においてバッテリ２６３に対して開口する第２開口部１３２と、を有している。第１開口部１３１と第２開口部１３２のいずれも、クリップ１３のうち後側軸筒１１１に対面する側に形成されている。
【０１２１】
無線通信モジュール２６１は、携帯端末５０と無線通信（例えばＢｌｕｅｔｏｏｔｈによる無線通信）する通信機能、および、周辺回路部２６２を制御する制御機能を備えている。
【０１２２】
無線通信モジュール２６１のサイズは、クリップ１３の内部空間に収容可能な程度のものである。例えば、無線通信モジュール２６１は、Ｂｒａｖｅｒｉｄｇｅ社のＢＶＭＣＮ５１０３−ＢＫであってもよいし、それより更に小型のものであってもよい。無線通信モジュール２６１は、図２４に示すように、クリップ１３の内部空間において、周辺回路部２６２よりもバッテリ２６３よりもペン先側に配置される。
【０１２３】
周辺回路部２６２は、無線通信モジュール２６１およびバッテリ２６３と有線接続されている。周辺回路部２６２は、回路基板、ならびに、その回路基板上に搭載された集積回路群および電子部品群（例えばコンデンサ）の集合体である。周辺回路部２６２は、バッテリ２６３から無線通信モジュール２６１へ電力を供給するための電源回路、無線通信モジュール２６１からの制御信号に応じた電圧をコイル２２に印加するための出力回路等を有している。周辺回路部２６２は、図２４に示すように、クリップ１３の内部空間において、無線通信モジュール２６１よりも後方側にあり、バッテリ２６３よりもペン先側に配置される。
【０１２４】
バッテリ２６３は、無線通信モジュール２６１および周辺回路部２６２に電力供給するための電池である。バッテリ２６３は、図２４に示すように、クリップ１３の内部空間において、無線通信モジュール２６１よりも周辺回路部２６２よりも後方側に配置される。
【０１２５】
このバッテリ２６３は一次電池であっても二次電池であってもよい。バッテリ２６３が二次電池である場合、ボールペン１の使用によってバッテリ２６３の蓄電量が低下した際には、ボールペン１の外部からバッテリ２６３に充電可能である。この場合、周辺回路部２６２は、ボールペン１の外部からバッテリ２６３に充電を行うための回路を含んでいる。
【０１２６】
バッテリ２６３のサイズは、クリップ１３の内部空間に収容可能な程度のものである。例えば、バッテリ２６３は、パナソニック社製のピン形リチウムイオン電池ＣＧ−３２０であってもよいし、それより更に小型のものであってもよい。
【０１２７】
本実施形態のボールペン１は、更にフレキシブル基板２３０および保持部材２３１を有している。フレキシブル基板２３０は、容易に変形可能なフレキシブルプリント配線基板である。フレキシブル基板２３０には、導線２３ａ、２３ｂの両端部以外がプリントされている。
【０１２８】
保持部材２３１は、フレキシブル基板２３０を短手方向に曲げて細くして保持するための部材である。保持部材２３１は、ペン先に近い側の大径部と、ペン先から遠い側の小径部とを有する。
【０１２９】
大径部は、ペン先側に開いた有底円筒形状を有し、更に、底部のうち軸筒１１の軸芯部分に貫通孔が形成されている。小径部は、軸筒１１の軸芯に一致する中心軸に貫通孔が空いた円柱形状の部材である。大径部の径よりも小径部の径の方が小さい。
【０１３０】
大径部と小径部は一体に形成されており、大径部の貫通孔と小径部の貫通孔は連通している。また、小径部の後端部の外周は、ノック部材３の後端部に空けられた貫通孔に圧入されている。この圧入により、保持部材２３１はノック部材３に対して固定されている。
【０１３１】
導線２３ａは、一端が周辺回路部２６２の上述の出力回路に接続され、他端がコイル２２の一端に接続されている。導線２３ｂは、一端が周辺回路部２６２の上述の出力回路に接続され、他端がコイル２２の他端に接続されている。
【０１３２】
フレキシブル基板２３０は、導線２３ａ、２３ｂと共に、クリップ１３の第１開口部１３１によって囲まれる貫通孔を通って、クリップ１３の内部空間の周辺回路部２６２近傍からクリップ１３の外部に伸びる。更にフレキシブル基板２３０は、導線２３ａ、２３ｂと共に、クリップ１３と後側軸筒１１１の間を、軸筒１１の長手方向に沿って、後方に向かって伸び、第２開口部１３２に至る。
【０１３３】
更にフレキシブル基板２３０は、第２開口部１３２によって囲まれた貫通孔の内部または当該貫通孔と後側軸筒１１１の間で、導線２３ａ、２３ｂと共に、ノック部材３の方向からペン先の方向に１回、および、ペン先の方向からノック部材３の方向に１回、計２回折り返されている。なお、このようにフレキシブル基板２３０および導線２３ａ、２３ｂが折り返された状態は、図２４のように、筆記可能な状態、すなわち、中芯１４の先端部１４２のチップが前側軸筒１１２の外部に突出した状態において、実現する。
【０１３４】
更にフレキシブル基板２３０は、導線２３ａ、２３ｂと共に、クリップ１３と後側軸筒１１１の間を、軸筒１１の長手方向に沿って、ノック部材３の後端側に伸び、ノック部材３の後端に至る。更にフレキシブル基板２３０は、導線２３ａ、２３ｂと共に、ノック部材３の後端部に空けられた貫通孔を通ってノック部材３の内部に入る。更にフレキシブル基板２３０は、導線２３ａ、２３ｂと共に、保持部材２３１の小径部の貫通孔内および大径部の貫通孔内を通る。ノック部材３および保持部材２３１の貫通孔内において、フレキシブル基板２３０は、短手方向に曲げられ細くなった状態にある。そして、保持部材２３１の貫通孔内において、フレキシブル基板２３０の先端から導線２３ａ、２３ｂが伸び、それぞれ、コイル２２の一端および他端に接続される。
【０１３５】
なお、筆記不可能な状態、すなわち、中芯１４の先端部１４２が完全に前側軸筒１１２内に収容された状態では、図２４の状態に比べてノック部材３がより後方に位置する。したがって、筆記不可能な状態では、第２開口部１３２近傍におけるフレキシブル基板２３０および導線２３ａ、２３ｂの上述の折り返しが解消される。つまり、フレキシブル基板２３０および導線２３ａ、２３ｂが、一律にペン先からノック部材３の方向に、伸展された状態になる。したがって、筆記可能な状態から筆記不可能な状態に移行する際に、ノック部材３の移動がフレキシブル基板２３０および導線２３ａ、２３ｂによって制限されることがない。
【０１３６】
ボールペン１の他の構成は、第３実施形態と同じである。本実施形態のボールペン１においては、第３実施形態と共通の構成を有する部分は、第３実施形態と同等の効果を発揮する。
【０１３７】
また、本実施形態においては、上述の通り、制御装置２６が、クリップ１３に取り付けられている。このようになっていることで、筆記時において制御装置２６が軸筒１１と一体的に動くので、制御装置２６が筆記の邪魔になる可能性が低減される。また、制御装置２６が軸筒１１の内部に配置されないので、軸筒１１の内部の空間を他の部材が広く使うことができる。例えば、軸筒１１の内部でインクタンク１４１のインク容量を大きくすることができる。また、制御装置２６をクリップ１３の内部空間に収容することで、制御装置２６によってボールペン１の外観が損なわれる可能性が低減される。
【０１３８】
（他の実施形態）
以上、本発明の実施形態について説明したが、本発明の範囲は、上記実施形態のみに限定されるものではなく、本発明の各発明特定事項の機能を実現し得る種々の形態を包含するものである。例えば、以下のような形態も許容される。
【０１３９】
（変形例１）
上記各実施形態においては、第１筆感状態でノック部材３が繰り返し衝突する所定の衝突対象部位は、回転子１７の係合部１７４ａ、１７４ｂ、１７４ｃの後端部であった。しかし、第１筆感状態でノック部材３が繰り返し衝突する所定の衝突対象部位は、必ずしもこのような部分に限らない。
【０１４０】
例えば、回転子１７以外に、筆記時に中芯１４と軸筒１１の両方に接触する中間部材があれば、その中間部材の一部が、上記所定の衝突対象部位であってもよい。また、上記所定の衝突対象部位は、先端部１４２のペン先の振動がグリップ１２に伝達される経路のどこかであればよい。あるいは、上記所定の衝突対象部位は、先端部１４２のペン先の振動がグリップ１２に伝達される経路のどこかでなくとも、当該経路に衝突による振動を伝達できる部位であればよい。
【０１４１】
（変形例２）
上記各実施形態においては、ボールペン１はノック式であり、可動部材の一例としてノック部材３が例示されている。しかし、ボールペン１はノック式である必要はなく、可動部材もノック部材３である必要はない。
【０１４２】
（変形例３）
上記各実施形態では、軸筒１１は後側軸筒１１１と前側軸筒１１２に分離可能となっているが、軸筒１１は一体成形された分離不可能な部材であってもよい。
【０１４３】
（変形例４）
上記第２、第３、第４実施形態では、コイル２２への電流の供給の有無に応じて第１筆感状態、第２筆感状態が切り替わるようになっているが、電流の供給時においてコイル２２に印加される電圧は変化せず常に同じである。
【０１４４】
しかし、必ずしもそのようになっておらずともよい。例えば、コイル２２に印加される電圧は連続的にまたは３段階以上の段階的に変化するようになっていてもよい。
【０１４５】
例えば、発明者の実験においては、回転子１７として質量０．２２ｇの部材を用い、永久磁石２１として質量０．０７３６ｇ、外径２．５ｍｍ、厚み２．０ｍｍの円柱形状のネオジム磁石を用いる。そして、コイル２２として、コイル外径３．７ｍｍ、コイル内径１．５ｍｍ、コイル長１２ｍｍのものを用いる。また、ノック部材３として質量０．３ｇの部材を用い、コイル２２の線材としては、径０．１４ｍｍの銅線（自己融着線、約３１０巻）のものを用いる。このコイル２２は、２０℃で１００．５Ω、質量が０．４５ｇのものを用いる。
【０１４６】
そして、コイル２２に印加される電圧がＶｍａｘ（具体的には約１０ボルト）の場合、コイル２２と永久磁石２１の反発力によりノック部材３がボールペン１の後端で固定されて上記第２筆感状態が実現する。
【０１４７】
また、コイル２２に印加される電圧がＶ１（具体的には約５ボルト）未満かつＶ２（具体的には１．５ボルト）以上の場合、コイル２２と永久磁石２１の反発力によりコイル２２がノック部材３を軸芯方向に慨平行かつボールペン１の後側に付勢するが、印加電圧が低いため、係合部１７４ａ、１７４ｂ、１７４ｃのいずれかが筆記時においてノック部材３の前端面に常に当接している場合がある。つまり、ノック部材３が回転子１７から完全に離れず、筆記時にノック部材３と回転子１７の繰り返し衝突が発生する。しかしこの場合でも、磁力によりノック部材３が後方に付勢されているために、ノック部材３と回転子１７の繰り返し衝突があったとしても、その態様（例えば、衝突の衝撃力、衝突の頻度。以下同じ。）が第１筆感状態とは異なるので、第１筆感状態が実現せず、結果的に第２筆感状態と同等の筆感が実現する場合がある。また、印加電圧の変化に応じて少しずつ筆感が変わっている可能性がある。このような現象は、磁力の変化と共に、衝突に影響を及ぼすノック部材３の質量が見掛け上小さくなることに起因して発生する可能性がある。
【０１４８】
また、コイル２２に印加される電圧がＶ３（具体的には１．２ボルト）未満かつＶ４（具体的には−０．６ボルト）以上の場合、第１筆感状態が実現する。
【０１４９】
具体的には、コイル２２に印加される電圧が０ボルトの場合は、コイル２２に電流が流れず上記第２、３実施形態と同様に第１筆感状態が実現する。また、コイル２２に印加される電圧が０より大きくＶ３より小さい場合（すなわち反発側）は、コイル２２と永久磁石２１の間の反発力により、コイル２２が、電圧に応じた付勢力で、軸芯方向に慨平行かつ後方にノック部材３を付勢する。この電圧範囲では、筆記時にノック部材３と回転子１７の繰り返し衝突が発生するが、印加電圧の絶対値の増加に応じて繰り返し衝突の態様が変化する。したがって、印加電圧の絶対値の増加に応じ筆感が変化する。このような現象は、磁力の変化と共に、衝突に影響を及ぼすノック部材３の質量が見掛け上小さくなるが、その小さくなる度合いが小さいことに起因して発生する可能性がある。
【０１５０】
また、コイル２２に印加される電圧が０より小さくＶ４より大きい場合（すなわち吸引側）も、筆記時にノック部材３と回転子１７の繰り返し衝突が発生する。しかしこの場合、コイル２２と永久磁石２１の間の吸引力により、コイル２２が、電圧に応じた付勢力で、軸芯方向に慨平行かつ前方にノック部材３を付勢するので、印加電圧の絶対値の増加に応じて繰り返し衝突の態様が変化する。したがって、印加電圧の絶対値の増加に応じ筆感が変化する。このような現象は、磁力の変化と共に、衝突に影響を及ぼすノック部材３の質量が見掛け上大きくなるが、その大きくなる度合いが小さいことに起因して発生する可能性がある。
【０１５１】
また、コイル２２に印加される電圧がＶ５（具体的には−０．６ボルト）以下の場合、コイル２２と永久磁石２１の間の比較的強い吸引力により、コイル２２が、電圧に応じた強い付勢力で、軸芯方向に慨平行かつ前方にノック部材３を付勢するので、繰り返し衝突の態様が、上記コイル２２に印加される電圧がＶ３未満かつＶ４以上の場合とは異なるので、第１筆感状態が実現せず、結果的に第２筆感状態と同等の筆感が実現する場合がある。このような現象は、磁力の変化と共に、衝突に影響を及ぼすノック部材３の質量が見掛け上大きくなり、ノック部材３が回転子１７と比較的強く密着していることに起因して発生する可能性がある。
【０１５２】
ここで、コイル２２への印加電圧を滑らかに変化させることで、コイル２２がノック部材３を軸芯方向に慨平行な方向に付勢する力を滑らかに変化させることができ、結果として、筆感を滑らかに切り替えることができる。なお、上記Ｖｍａｘ、Ｖ１、Ｖ２、Ｖ３、Ｖ４、Ｖ５の関係は、Ｖｍａｘ＞Ｖ１＞Ｖ２＞Ｖ３＞０ボルト＞Ｖ４＞Ｖ５となる。
【０１５３】
印加電圧を上記のようにＶｍａｘにすれば、ノック部材３を回転子１７から完全に離して筆記時に回転子１７とノック部材３の衝突が無いようにすることは可能であるが、印加電圧がＶ１未満Ｖ２以上でも、第２筆感状態と同等の筆感を得ることができると共に、電圧印加によるエネルギー消費を低減することができる。したがって、印加電圧をＶｍａｘまで増加させないボールペン１でも、筆感の切り替えが可能である。つまり、筆記時にノック部材３と回転子１７が繰り返し衝突するボールペン１でも、その繰り返し衝突の態様を適切に調整することで、筆感の切り替えが可能である。
【０１５４】
また、印加電圧が０ボルト以上しか実現できないボールペン１も、逆に印加電圧が０ボルト以下しか実現できないボールペン１も、筆感の切り替えが可能である。
【０１５５】
なお、第３実施形態において、上記のような電圧の多様な変化を実現するためには、携帯端末５０は、オン命令、オフ命令ではなく、例えばコイル２２に印加する電圧値を制御装置２６に出力する。
【０１５６】
このような変更は、上記第３実施形態の応用例１から応用例７までのいずれにも適用可能である。また例えば、携帯端末５０がダウンロードして実行するプログラムとしては、バイオリズム対応プログラムがある。バイオリズムとは、身体リズム、感情リズム、知性リズムの３つで構成され、これらは一定の周期（例えば、３週間以上５週間以下の周期）で、値が高い高調期と値が低い低調期を繰り返す。
【０１５７】
携帯端末５０には、筆記者の身体リズム、感情リズム、知性リズムのうちいずれか１つのリズムの経時変化予想のデータがあらかじめ記録されている。携帯端末５０は、バイオリズム対応プログラムを実行すると、上記経時変化予想のデータを読み出し、読み出したデータに基づいて、現在のリズムの値を特定し、特定したリズムに応じた電圧値を制御装置２６に出力する。
【０１５８】
例えば、上記１つのリズムの値が大きくなるほど電圧値を上昇させてもよいし、逆に、上記１つのリズムの値が大きくなるほど電圧値を低下させてもよい。このようにすることで、バイオリズムと連動し、日を追って、比較的ソフトタッチな第１筆感状態と比較的ハードタッチな第２筆感状態が緩やかに切り替わっていく。
【０１５９】
この場合、第３、第４実施形態においては、携帯端末５０がダウンロードして実行するプログラムとして、電圧調整プログラムがあってもよい。この電圧調整プログラムを携帯端末５０が実行すると、電圧調整スイッチに対するユーザの操作内容に応じた電圧指示値が携帯端末５０から制御装置２６に送信される。電圧調整スイッチは、携帯端末５０に備えられているメカニカルスイッチでもよいし、携帯端末５０のディスプレイに表示されたスライドバーであってもよい。なお、電圧調整スイッチを操作するユーザは、筆記者自身でもよいし、筆記者以外の者でもよい。
【０１６０】
ユーザがこの電圧調整スイッチを操作することで、連続的に、あるいは、３段階以上（例えば１０段階）の多段階で、上記電圧指示値が変化する。制御装置２６では、無線通信モジュール２６１が、電圧指示値を受信し、受信した電圧指示値に応じた電圧をコイル２２に印加するよう、周辺回路部２６２の出力回路を制御する。
【０１６１】
無線通信モジュール２６１は、受信した電圧指示値に応じた電圧をコイル２２に印加するため、一定電圧のパルスを用いたＰＷＭ制御を行ってもよい。具体的には、受信した電圧指示値が大きいほど、上記パルスについて大きいデューティ比を実現するよう、コイル２２に流す電流値を変化させる。これにより、コイル２２に印加される電圧の実効値がデューティ比に応じて変化する。
【０１６２】
（変形例５）
上記第３実施形態および上記変形例４では、制御装置２６は電源２４からコイル２２へ供給する電流および電源２４からコイル２２へ印加する電圧を制御している。しかし、制御装置２６は、電源２４の代わりに、携帯端末５０に内蔵されている電源を用いて、携帯端末５０からコイル２２へ供給する電流および携帯端末５０からコイル２２へ印加する電圧を制御するようになっていてもよい。
【０１６３】
（変形例６）
上記各実施形態では、第１突起部３２ａ、第２突起部３２ｂ、第３突起部３２ｃは、それぞれ、窪み部４１ｂの溝、窪み部４２ｂの溝、窪み部４３ｂの溝に嵌っており、ノック部材３は、それら溝にガイドされて前後方向に揺動可能となっている。
【０１６４】
しかし、第１突起部３２ａ、第２突起部３２ｂ、第３突起部３２ｃは、それぞれ、第１溝Ｖ１２、第２溝Ｖ２３、第３溝Ｖ３１に嵌っており、ノック部材３は、溝Ｖ１２、Ｖ２３、Ｖ３１にガイドされて、軸芯を中心とする回転が規制されながら、前後方向に揺動可能となっていてもよい。この場合、第２筆感状態においては、ノック部材３の第１突起部３２ａ、第２突起部３２ｂ、第３突起部３２ｃが、それぞれ、凹み端面４１ａｖ、４２ａｖ、４３ａｖの後側の空間に嵌まる。
【０１６５】
（変形例７）
上記第２、第３実施形態および上記変形例４においては、コイル２２への印加電圧がゼロの場合、筆記時において、ノック部材３と共に揺動するコイル２２と永久磁石２１で電磁誘導が起きる。したがって、このときにコイル２２に発生する起電力あるいは電流を検出する検出装置を設ければ、当該検出装置の検出結果を、筆記あるいは筆感の状態を示す量として記憶媒体に記録することができる。このようにすることで、例えば、変形例４で示した反発側と吸引側の筆感の違いを定量化することができる。
【０１６６】
また、筆記時において、ノック部材３と共に揺動するコイル２２と永久磁石２１で電磁誘導が起きたとき、それに起因してコイル２２に発生する起電力あるいは電流によって、二次電池に充電したり、あるいは、他の電気機器を作動させることができる。つまり、筆記動作で発電が可能になる。
【０１６７】
（変形例８）
上記各実施形態では、ノック部材３が可動範囲中で最も後方に位置した段階で、筆記者が軸芯を中心としてノック部材３を図１６中時計回り方向に回転させる。これにより、ノック部材３の突起部３２ａ、３２ｂ、３２ｃが、図１６に示すように、それぞれ、凹み端面４１ｃｖ、４２ｃｖ、４３ｃｖの後側の空間に嵌まり、第２筆感状態が実現される。
【０１６８】
しかし、第２筆感状態を実現するためにノック部材３を回転させる方向は、図１６中反時計回り方向でもよい。このためには、凹み端面４１ａｖを第１歯部４１ａの第３溝Ｖ３１側ではなく窪み部４１ｂ側に形成し、凹み端面４１ｃｖを第２歯部４１ｃの窪み部４１ｂ側ではなく第１溝Ｖ１２側に形成し、凹み端面４２ａｖを第１歯部４２ａの第１溝Ｖ１２側ではなく窪み部４２ｂ側に形成し、凹み端面４２ｃｖを第２歯部４２ｃの窪み部４２ｂ側ではなく第２溝Ｖ２３側に形成し、凹み端面４３ａｖを第１歯部４３ａの第２溝Ｖ２３側ではなく窪み部４３ｂ側に形成し、凹み端面４３ｃｖを第２歯部４３ｃの窪み部４３ｂ側ではなく第３溝Ｖ３１側に形成すればよい。
【０１６９】
このような構成で、ノック部材３が可動範囲中で最も後方に位置した段階で、筆記者が軸芯を中心としてノック部材３を図１６中反時計回り方向に回転させたとする。すると、ノック部材３の突起部３２ａ、３２ｂ、３２ｃが、それぞれ、凹み端面４１ａｖ、４２ａｖ、４３ａｖの後側の空間に嵌まり、第２筆感状態が実現される。
【０１７０】
（変形例９）
上記第４実施形態では、クリップ１３に制御装置２６が取り付けられているが、制御装置２６の取り付け位置は、クリップ１３以外であってもよい。
【０１７１】
例えば、制御装置２６がノック部材３に取り付けられ、ノック部材３と一体に移動するようになっていてもよい。この場合、筆記可能な状態と筆記不可能な状態とで、ノック部材３と制御装置２６の相対的な位置関係が変化しない。また、筆記時にノック部材３が振動しても、ノック部材３と制御装置２６の相対的な位置関係が変化しない。したがって、ノック部材３に取り付けられたコイル２２と制御装置２６とを繋ぐ導線２３ａ、２３ｂの配策形態が簡易になる。より詳細には、制御装置２６はノック部材３の内部に収容されていてもよい。また例えば、制御装置２６が軸筒１１の内部に収容されていてもよい。
【０１７２】
制御装置２６がクリップ１３または軸筒１１に取り付けられている場合、永久磁石２１とコイル２２の配置を入れ替えてもよい。具体的には、永久磁石２１をノック部材３に取り付け、コイル２２を回転子１７に取り付けてもよい。このようにすれば、筆記可能な状態と筆記不可能な状態とで、コイル２２と制御装置２６の相対的な位置関係が変化しない。また、筆記時にノック部材３が振動しても、コイル２２と制御装置２６の相対的な位置関係が変化しない。したがって、コイル２２と制御装置２６とを繋ぐ導線２３ａ、２３ｂの配策形態が簡易になる。
【０１７３】
（変形例１０）
上記第４実施形態では、フレキシブル基板２３０および導線２３ａ、２３ｂは、クリップ１３の内部空間から出た後、後側軸筒１１１とクリップ１３の間の空間を伸びてノック部材３の後端部に至るように配策されている。
【０１７４】
しかし、フレキシブル基板２３０および導線２３ａ、２３ｂの配策は上記のようなものに限られない。例えば、後側軸筒１１１には、クリップ１３の第１開口部１３１と対向する位置に開口部が形成されていてもよい。その場合、フレキシブル基板２３０および導線２３ａ、２３ｂは、クリップ１３の内部空間から出た後、この開口部によって囲まれる貫通孔を通って後側軸筒１１１内に入り、その後、後側軸筒１１１内を通ってノック部材３に至るように配策されていてもよい。また、上記第４実施形態において、フレキシブル基板２３０を廃してもよい。
【０１７５】
（変形例１１）
また、上記第３、第４実施形態のボールペン１において、コイル２２に電圧を印加する制御装置２６を、コイル２２に発生する起電力を検出する検出装置に、置き換えてもよい。このようにした場合、ボールペン１を用いた筆記時に、ノック部材３の振動およびノック部材３と回転子１７との繰り返し衝突に起因して、コイル２２に起電力が発生する。上記検出装置は、この起電力を検出する。
【０１７６】
そして検出装置は、検出した起電力の経時変化を示す起電力データを繰り返し記憶媒体に記録してもよい。あるいは検出装置は、上記起電力データを無線通信によって携帯端末５０に送信してもよい。後者の場合、携帯端末５０は、受信した起電力データを記憶媒体に記録する。
【０１７７】
このようにして記憶媒体に記録された起電力データを解析することで、筆記時の筆圧、筆記時に筆記者が感じる筆記対象（例えば紙）の表面のさらざら感を定量的に評価することが可能になる。
【０１７８】
なお、上記第３、第４実施形態のボールペン１において、コイル２２に加えてもう１つ起電力検出用の追加コイルを、コイル２２と同様にノック部材３に配置してもよい。そして、制御装置２６に加え、上述の検出装置を設けてもよい。この場合は、検出装置は、筆記時に追加コイルに発生した起電力を検出する。
【０１７９】
（変形例１２）
また、上記第４実施形態のボールペン１において、コイル２２に電圧を印加する無線通信モジュール２６１、周辺回路部２６２を、コイル２２に発生する起電力を利用してバッテリ２６３に対して充電を行う充電装置に、置き換えてもよい。この場合、バッテリ２６３は二次電池である。
【０１８０】
このようにした場合、ボールペン１を用いた筆記時に、ノック部材３の振動およびノック部材３と回転子１７との繰り返し衝突に起因して、コイル２２に起電力が発生する。そして充電装置は、この起電力を電力源としてバッテリ２６３に充電する。
【０１８１】
この際、充電装置は、コイル２２からバッテリ２６３に充電した電力量のデータを繰り返し無線通信によって携帯端末５０に送信してもよい。この場合、携帯端末５０は、受信した電力量のデータをディスプレイに表示する。このようにすることで、筆記者は、携帯端末５０の表示を見て、筆記することで充電された電力量を確認することができる。筆記者にとっては、充電された電力量が増大することは、自分の筆記量の多さに対する褒美と感じられる。したがって、充電された電力量が表示されることは、筆記者の筆記作業に対する動機付けとなる。
【０１８２】
なお、上記第３、第４実施形態のボールペン１において、コイル２２に加えてもう１つ充電用の追加コイルを、コイル２２と同様にノック部材３に配置してもよい。そして、制御装置２６に加え、上述の充電装置を設けてもよい。この場合は、充電装置は、筆記時に追加コイルに発生した起電力を電力源としてバッテリ２６３に充電する。
【符号の説明】
【０１８３】
１                ボールペン
２                本体
３                ノック部材
４                溝形成部
１１              軸筒
１３              クリップ
１７              回転子
２１              永久磁石
２２              コイル
２６              制御装置
５０              携帯端末
１１１            後側軸筒
１１２            前側軸筒
【図１】
0006647518.tif 000002
【図２】
0006647518.tif 000003
【図３】
0006647518.tif 000004
【図４】
0006647518.tif 000005
【図５】
0006647518.tif 000006
【図６】
0006647518.tif 000007
【図７】
0006647518.tif 000008
【図８】
0006647518.tif 000009
【図９】
0006647518.tif 000010
【図１０】
0006647518.tif 000011
【図１１】
0006647518.tif 000012
【図１２】
0006647518.tif 000013
【図１３】
0006647518.tif 000014
【図１４】
0006647518.tif 000015
【図１５】
0006647518.tif 000016
【図１６】
0006647518.tif 000017
【図１７】
0006647518.tif 000018
【図１８】
0006647518.tif 000019
【図１９】
0006647518.tif 000020
【図２０】
0006647518.tif 000021
【図２１】
0006647518.tif 000022
【図２２】
0006647518.tif 000023
【図２３】
0006647518.tif 000024
【図２４】
0006647518.tif 000025